【事件の表示】
　特願２０１１−　８６４４９「情報処理装置、情報処理方法、及びプログラム」拒絶査定不服審判事件〔平成２４年１１月１２日出願公開、特開２０１２−２２１２２３〕について、次のとおり審決する。
【結　論】
　本件審判の請求は、成り立たない。
【理　由】
第１　手続の経緯
　本願は、平成２３年４月８日の出願であって、平成２７年１月１５日付けで拒絶査定がなされ（発送日：同月２０日）、これに対して同年３月２５日に審判の請求がなされ、同時に手続補正がなされたものである。
　
第２　平成２７年３月２５日付けの手続補正についての補正却下の決定
［補正却下の結論］
　平成２７年３月２５日付けの手続補正（以下、「本件補正」という。）を却下する。
　
［理由］
１．本願補正発明
　本件補正により、特許請求の範囲の請求項１は、
「表示画面に積層されたタッチパネルに対する入力操作に基づいて情報処理を行う情報処理装置において、
　所定のオブジェクトを前記表示画面の所定の位置に表示させる表示制御手段と、
　前記タッチパネルに対する物体の接触又は近接の操作を、前記タッチパネルに対する入力操作として受け付ける入力操作受付手段と、
　前記タッチパネルに対してなされた前記入力操作の位置によらない所定の条件を満たすか否かを判別する判別手段と、
　表示されている前記所定のオブジェクトの位置に対して前記入力操作がなされた場合であって、前記所定の条件を満たさないと判別された場合に、前記所定のオブジェクトに対応する第１の制御を実行する一方、満たすと判別された場合に、前記第１の制御とは異なる第２の制御を実行する制御実行手段と、
　を備え
、
　
前記表示制御手段は、前記判別手段により所定の条件を満たすと判別されたことを契機とする、前記表示画面の表示内容の変更を行わない、
　ことを特徴とする情報処理装置。」
と補正された。（審決注：下線は当審付与。以下同様。）
　本件補正は、請求項１に記載した発明を特定するために必要な事項である「所定のオブジェクトを前記表示画面の所定の位置に表示させる表示制御手段」について、「前記表示制御手段は、前記判別手段により所定の条件を満たすと判別されたことを契機とする、前記表示画面の表示内容の変更を行わない」との限定を付加することを含むものであって、特許法第１７条の２第５項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第６項において準用する同法第１２６条第７項の規定に適合するか）について以下に検討する。
　
　
２．引用例・引用発明について
　原査定の拒絶の理由で引用された、特開２００２−１４９３４８号公報（以下「引用例」という。）には、図面と共に、次の事項が記載されている。
　
（１）　特許請求の範囲【請求項１】
「【請求項１】  画面上にタッチパネルを配置し、画面に表示する複数の操作ボタンにそれぞれ対応する領域を押圧することで入力を行うタッチパネル入力装置において、
画面に表示する複数の操作ボタンの内、少なくとも２つ以上の操作ボタンを押圧検出座標の校正用観測ボタンとし、
少なくとも２つの校正用観測ボタンに対する押圧検出座標と前記校正用観測ボタンの中心座標とに基づいて、前記タッチパネルの押圧検出座標の校正を行うことを特徴とするタッチパネル入力装置。」
　
（２）　段落【０００１】−【０００５】
「【０００１】
【発明の属する技術分野】本発明は
表示画面の上にタッチパネルを配置し、画面に表示する操作ボタンに対応するタッチパネルの範囲を押圧することで入力するタッチパネル入力装置
【０００２】
【従来の技術】ＯＡ機器、ＡＶ機器、車載機器等に用いられるタッチパネル入力装置は、表示装置の画面上にタッチパネルを配置し、画面には複数の操作ボタンを表示し、それぞれの操作ボタンに対応したタッチパネル上の範囲を押圧することにより、操作入力を行っている。ユーザは画面に表示された操作ボタンの上を押圧することで機器の操作を行うようにしている。
【０００３】このようなタッチパネル入力装置では、例えば、抵抗膜型タッチパネルがあるが、この抵抗膜型タッチパネルは、上下層に抵抗膜を設けたアナログタッチパネルであり、この上下層の接触時のオン抵抗値による電圧降下から電圧データを抽出し、Ｘ軸、Ｙ軸の電圧データから押圧位置を特定して制御部に出力し、制御部では押圧された位置に対応する操作を受付け、所定の動作を行うようになっている。
【０００４】一般的に、抵抗膜型タッチパネルは、抵抗値の特性が線形である一対の抵抗膜を絶縁樹脂等のマイクロスペーサを介して対向させ、通常の状態では一対の抵抗膜が接触せず、
指あるいはペン先等で押圧されたときに
【０００５】画面に表示した操作ボタンを画面上に配置されたタッチパネルを通して押圧するシステムでは、そのボタン表示位置とタッチパネル上の押圧座標が一定の関係になっていなくてはならない。ところが、画面とタッチパネルの組み付けずれ、画面表示の位置ずれ、経年変化による押圧検出座標のずれが発生するため、押圧検出座標の校正を行う必要がある。」
　
（３）　段落【０００８】−【００１０】
「【０００８】
【発明が解決しようとする課題】ところで、タッチパネルの使用中の経年変化等により押圧位置と検出位置が合わなくなってきた場合、その度にユーザ自身が所定の操作を行って画面に入力点を表示させて検出座標校正を行う必要があり煩雑であった。
　　　・・・（中略）・・・
【００１０】以上から、本発明の目的は、ユーザが意識することなく通常の使用状態の中でタッチパネルの押圧検出座標の校正を自動的に行うタッチパネル入力装置を提供することである。」
　
（４）　段落【００１２】
「【００１２】
【課題を解決するための手段】上記課題は本発明によれば、画面上にタッチパネルを配置し、画面に表示する複数の操作ボタンにそれぞれ対応する領域を押圧することで入力を行うタッチパネル入力装置において、画面に表示する複数の操作ボタンの内、少なくとも２つ以上の操作ボタンを押圧検出座標の校正用観測ボタンとし、少なくとも２つの校正用観測ボタンに対する押圧検出座標と校正用観測ボタンの中心座標とに基づいて、前記タッチパネルの押圧検出座標の校正を行うタッチパネル入力装置により達成される。すなわち、以上のようにすれば、通常操作における校正用観測ボタンに対する押圧検出座標と対応する操作ボタンの中心座標とから自動的にタッチパネルの押圧検出座標の校正を行うことができる。」
（５）　段落【００１６】−【００２４】
「【００１６】
【発明の実施の形態】第１実施例
図１は、本発明の第１実施例のタッチパネル入力装置の要部構成図である。図１において、１１はタッチパネル、１２はＬＣＤ等の表示部、１３はタッチパネル制御部、１４は制御部である。
【００１７】
タッチパネル１１は、
Ｘ軸座標、Ｙ軸座標に応じた電圧をタッチパネル制御部１３へ出力するようになって
【００１８】
タッチパネル制御部１３は、タッチパネル１１から入力されるＸ軸、Ｙ軸の電圧によりタッチパネル上での押圧点の２次元座標位置（Ｘ座標、Ｙ座標）を特定する機能を有して
【００１９】
制御部１４は他の機器からの指示により表示部１２に操作ボタンを表示させたり、タッチパネル制御部１３から入力される押圧座標に基づいて、どの操作ボタンが押されたかを判断し、押されたボタンに応じた制御信号を他の機器等に出力
また、制御部１４はタッチパネルの押圧検出座標の校正処理機能を有しており、２つの基準入力点に対する押圧検出座標に基づいて、タッチパネル全体の押圧検出座標の校正を行
【００２０】図２は、第１実施例における
タッチパネル入力装置の表示
ＳＢは通常の操作ボタン表示、ＣＢ１、ＣＢ２は校正用観測ボタンを兼ねる操作ボタン表示であ
【００２１】
２つの校正用観測ボタンＣＢ１、ＣＢ２は、ディスプレイＤＳＰの対角付近に配置されており、この校正用観測ボタンＣＢ１，ＣＢ２は通常の操作ボタンとしても機能するようになって
校正用観測ボタンＣＢ１，ＣＢ２は、メニューボタンや電源オフボタン等の機器を使用中に、ある程度の頻度で使用される機能が割り当てられて
【００２２】図３は校正用観測ボタン表示と入力受付範囲との関係を示す図である。図３に示すように、
校正用観測ボタン表示ＣＢに対する入力受付範囲は、ボタン表示中心領域の内側領域ＩＡと外側領域ＯＡの２つの領域に分かれて設定されて
【００２３】
制御部１４は、タッチパネル制御部１３からの押圧座標に基づいて、校正用観測ボタン表示に対する押圧検出座標が、内側領域ＩＡである場合には校正処理を行わず、押圧検出座標が外側領域ＯＡである場合に校正処理を行
制御部１４は、校正用観測ボタンに対する受付範囲内の押圧があると、そのボタンに対して決められている所定の動作（例えばメニューボタンであればメニュー表示）を行うとともに、押圧検出座標が外側領域ＯＡである場合に、校正用観測ボタンの中心座標と押圧検出座標とから校正係数を算出し、以後、この校正係数を用いて押圧検出座標の補正を行
【００２４】以上のようにすれば、
通常の機器操作のためにタッチパネルを使用している状態で自動的にタッチパネルの押圧検出座標の校正を行うことができ
（６）　段落【００３６】−【００３７】
「【００３６】以上、本発明を実施例により説明したが、本発明は請求の範囲に記載した本発明の主旨に従い種々の変形が可能であり、本発明はこれらを排除するものではない。
【００３７】
【発明の効果】以上、本発明によれば、画面上の対角に操作ボタンと兼用の校正用観測ボタンを表示し、校正用観測ボタン表示の中心座標と、校正用観測ボタンに対する押圧入力検出座標とに基づいて、タッチパネルの校正を行うようにしたから、ユーザが通常使用をしている中で、自動的にタッチパネルの押圧検出座標の校正を行うことができ、
ユーザが意識することなく校正を行うことができ便利である
　
　これらの記載から、引用例には、次の発明（以下、「引用発明」という。）が記載されていると認められる。
　
「表示画面の上にタッチパネルを配置し、画面に表示する操作ボタンに対応するタッチパネルの範囲を押圧することで入力するタッチパネル入力装置において、
　タッチパネル１１は、Ｘ軸座標、Ｙ軸座標に応じた電圧をタッチパネル制御部１３へ出力するようになっており、
　タッチパネル制御部１３は、タッチパネル１１から入力されるＸ軸、Ｙ軸の電圧によりタッチパネル上での押圧点の２次元座標位置（Ｘ座標、Ｙ座標）を特定する機能を有しており、
　制御部１４は他の機器からの指示により表示部１２に操作ボタンを表示させたり、タッチパネル制御部１３から入力される押圧座標に基づいて、どの操作ボタンが押されたかを判断し、押されたボタンに応じた制御信号を他の機器等に出力し、また、制御部１４はタッチパネルの押圧検出座標の校正処理機能を有しており、２つの基準入力点に対する押圧検出座標に基づいて、タッチパネル全体の押圧検出座標の校正を行い、
　タッチパネル入力装置の表示において、ＳＢは通常の操作ボタン表示、ＣＢ１、ＣＢ２は校正用観測ボタンを兼ねる操作ボタン表示であり、
　２つの校正用観測ボタンＣＢ１、ＣＢ２は、ディスプレイＤＳＰの対角付近に配置されており、この校正用観測ボタンＣＢ１，ＣＢ２は通常の操作ボタンとしても機能するようになっており、校正用観測ボタンＣＢ１，ＣＢ２は、メニューボタンや電源オフボタン等の機器を使用中に、ある程度の頻度で使用される機能が割り当てられており、
　校正用観測ボタン表示ＣＢに対する入力受付範囲は、ボタン表示中心領域の内側領域ＩＡと外側領域ＯＡの２つの領域に分かれて設定されており、
　制御部１４は、タッチパネル制御部１３からの押圧座標に基づいて、校正用観測ボタン表示に対する押圧検出座標が、内側領域ＩＡである場合には校正処理を行わず、押圧検出座標が外側領域ＯＡである場合に校正処理を行い、制御部１４は、校正用観測ボタンに対する受付範囲内の押圧があると、そのボタンに対して決められている所定の動作（例えばメニューボタンであればメニュー表示）を行うとともに、押圧検出座標が外側領域ＯＡである場合に、校正用観測ボタンの中心座標と押圧検出座標とから校正係数を算出し、以後、この校正係数を用いて押圧検出座標の補正を行い、
　通常の機器操作のためにタッチパネルを使用している状態で自動的にタッチパネルの押圧検出座標の校正を行うことができる、タッチパネル入力装置。」
　
　
３．対比
　本願補正発明と引用発明とを対比する。
　
（１）　引用発明の「表示画面の上にタッチパネルを配置し、画面に表示する操作ボタンに対応するタッチパネルの範囲を押圧することで入力するタッチパネル入力装置」は、本願補正発明の「表示画面に積層されたタッチパネルに対する入力操作に基づいて情報処理を行う情報処理装置」に相当する。
　
（２）　引用発明の「操作ボタン」は、本願補正発明の「オブジェクト」に相当する。
　引用発明の「制御部１４」は、「他の機器からの指示により表示部１２に操作ボタンを表示させ」るものであって、その操作ボタンの一種である「２つの校正用観測ボタンＣＢ１、ＣＢ２」は、ディスプレイＤＳＰの対角付近に配置されるから、上記「制御部１４」は、本願補正発明の「所定のオブジェクトを前記表示画面の所定の位置に表示させる表示制御手段」に相当する。
　
（３）　引用発明において、「タッチパネル１１から入力されるＸ軸、Ｙ軸の電圧によりタッチパネル上での押圧点の２次元座標位置（Ｘ座標、Ｙ座標）を特定する」、「タッチパネル制御部１３」と、「タッチパネル制御部１３から入力される押圧座標に基づいて、どの操作ボタンが押されたかを判断」する「制御部１４」とは、本願補正発明の「前記タッチパネルに対する物体の接触又は近接の操作を、前記タッチパネルに対する入力操作として受け付ける入力操作受付手段」に相当する。
（４）　引用発明が、「校正用観測ボタン表示ＣＢに対する入力受付範囲は、ボタン表示中心領域の内側領域ＩＡと外側領域ＯＡの２つの領域に分かれて設定されており、制御部１４は、タッチパネル制御部１３からの押圧座標に基づいて、校正用観測ボタン表示に対する押圧検出座標が、内側領域ＩＡである場合には校正処理を行わず、押圧検出座標が外側領域ＯＡである場合に校正処理を行い、制御部１４は、校正用観測ボタンに対する受付範囲内の押圧があると、そのボタンに対して決められている所定の動作（例えばメニューボタンであればメニュー表示）を行うとともに、押圧検出座標が外側領域ＯＡである場合に、校正用観測ボタンの中心座標と押圧検出座標とから校正係数を算出し、以後、この校正係数を用いて押圧検出座標の補正を行」うという構成（以下「構成Ａ」という）を有していることは、引用発明が「押圧検出座標が、内側領域ＩＡであるか（すなわち、外側領域ＯＡでないか）、外側領域ＯＡであるかを判別する手段」といい得る手段を有していることを意味する。したがって、引用発明が上記構成Ａを有していることは、本願補正発明が「前記タッチパネルに対してなされた前記入力操作の位置によらない所定の条件を満たすか否かを判別する判別手段」を備えていることと、「所定の条件を満たすか否かを判別する判別手段」といい得る手段を備えている点で共通するといえる。
（５）　引用発明が、上記構成Ａを有していることは、本願補正発明が「表示されている前記所定のオブジェクトの位置に対して前記入力操作がなされた場合であって、前記所定の条件を満たさないと判別された場合に、前記所定のオブジェクトに対応する第１の制御を実行する一方、満たすと判別された場合に、前記第１の制御とは異なる第２の制御を実行する制御実行手段」を有していることにも相当する。
　したがって、両者の一致点、相違点は以下のとおりである。
　
［一致点］
「表示画面に積層されたタッチパネルに対する入力操作に基づいて情報処理を行う情報処理装置において、
　所定のオブジェクトを前記表示画面の所定の位置に表示させる表示制御手段と、
　前記タッチパネルに対する物体の接触又は近接の操作を、前記タッチパネルに対する入力操作として受け付ける入力操作受付手段と、
　所定の条件を満たすか否かを判別する判別手段と、
　表示されている前記所定のオブジェクトの位置に対して前記入力操作がなされた場合であって、前記所定の条件を満たさないと判別された場合に、前記所定のオブジェクトに対応する第１の制御を実行する一方、満たすと判別された場合に、前記第１の制御とは異なる第２の制御を実行する制御実行手段と、
　を備える情報処理装置。」
である点。
　
［相違点１］
　本願補正発明の「判別手段」は、「前記タッチパネルに対してなされた前記入力操作の位置によらない所定の条件を満たすか否かを判別する判別手段」であるのに対し、引用発明の「判別手段」は、「押圧検出座標が、内側領域ＩＡであるか、外側領域ＯＡであるかを判別する判別手段」であって、「前記タッチパネルに対してなされた前記入力操作の位置によらない所定の条件を満たすか否かを判別する判別手段」ではない点。
　
［相違点２］
　本願補正発明の「表示制御手段」は、「前記判別手段により所定の条件を満たすと判別されたことを契機とする、前記表示画面の表示内容の変更を行わない」ものであるのに対して、引用発明の「表示制御手段」は、「前記判別手段により所定の条件を満たすと判別されたことを契機とする、前記表示画面の表示内容の変更を行わない」ものとはされていない点。
　
　
４．相違点についての判断
（１）　［相違点１］、［相違点２］について
　引用発明は、従来、「
タッチパネルの使用中の
自動的にタッチパネルの押圧検出座標の校正を行う
ユーザが意識することなく
　一方、校正を行う必要があるタッチパネルを使用する情報処理装置であって、ユーザの指示がなくとも自動的に、校正（キャリブレーション）処理を行うものにおいて、その校正処理を行う契機として、時間経過や操作回数のような「入力操作の位置によらない」条件を用いることは、下記＜周知文献Ａ＞、＜周知文献Ｂ＞、＜周知文献Ｃ＞に記載されるように、周知技術である。
＜周知文献Ａ＞　特開２０１０−１５２５７９号公報
（段落【０００８】「本発明は、このような課題を解決するためになされたもので、
タッチパネルの較正操作を、プレイヤに意識させることなく
例えば
一定時間（実時間やプレイ時間）経過後に、同様にミニゲームとして、プレイヤに実行させるようにしてもよい
＜周知文献Ｂ＞　特開平８−１５２９５６号公報
（段落【００１５】「請求項２に記載の発明によれば、カウント手段によりカウントされた
使用時間が予め設定された基準時間に達したとき、切り換え手段により入力モードからズレ補正モードに切り換えられる
自動的なモード切り換えが可能となっている
＜周知文献Ｃ＞　特開平５−８０９２２号公報
（段落【０００４】−【０００５】「…そこで、
本発明の目的は、前記煩雑なキャリブレーション操作をユーザーに負担をかけることなく行えるアナログ式タッチパネルにおけるキャリブレーション方式を提供することにある
タッチパネルの押下回数を累積記憶し、この累積記憶値または経過時間に基づいて実使用状態時にタッチパネルの位置補正を自動的に行う方式とした
　してみれば、引用発明において、上記周知技術を採用し、校正処理を行う契機として、入力操作の位置（「押圧検出座標」）を用いることに替えて、時間経過や操作回数などの「入力操作の位置によらない」条件を用いるようにすることは、当業者が容易に推考し得ることである。
　そして、そのようにしても、引用発明の上記課題解決手段や効果が維持されることは明らかである。
　ここで、引用発明において、校正処理を行う契機として経過時間や操作回数のような「入力操作の位置によらない」条件を採用する場合、その条件が満たされたか否かを、ユーザに表示すべきか否かは、表示の有用性や、ユーザが表示を煩雑に感じるかなどを考慮して当業者が適宜選択すべき設計的事項である。また、「ユーザが意識することなく」校正を行うという引用発明の課題、効果を考慮すると、そのような場合に、ユーザに表示しないことを選択することは、十分にあり得ることである。以上のことは、引用発明において、上記相違点１、２に係る本願補正発明の構成を採用することが当業者にとって容易であったことを意味している。
　
　そして、本願補正発明のように構成したことによる効果も、引用発明及び周知技術から予測できる程度のものである。
　
　
５．むすび
　以上のとおり、本願補正発明は、引用発明及び周知技術に基づいて、当業者が容易に発明をすることができたものであるから、特許法第２９条第２項の規定により特許を受けることができない。
　したがって、本件補正は、特許法第１７条の２第６項において準用する同法第１２６条第７項の規定に違反するので、同法第１５９条第１項の規定において読み替えて準用する同法第５３条第１項の規定により却下すべきものである。
　
第３　本願発明について
１．本願発明
　平成２７年３月２５日付けの手続補正は上記のとおり却下されたので、本願の請求項１に係る発明（以下「本願発明」という。）は、平成２６年１２月１６日付け手続補正書の特許請求の範囲の請求項１に記載された事項により特定される次のとおりのものである。
「表示画面に積層されたタッチパネルに対する入力操作に基づいて情報処理を行う情報処理装置において、
　所定のオブジェクトを前記表示画面の所定の位置に表示させる表示制御手段と、
　前記タッチパネルに対する物体の接触又は近接の操作を、前記タッチパネルに対する入力操作として受け付ける入力操作受付手段と、
　前記タッチパネルに対してなされた前記入力操作の位置によらない所定の条件を満たすか否かを判別する判別手段と、
　表示されている前記所定のオブジェクトの位置に対して前記入力操作がなされた場合であって、前記所定の条件を満たさないと判別された場合に、前記所定のオブジェクトに対応する第１の制御を実行する一方、満たすと判別された場合に、前記第１の制御とは異なる第２の制御を実行する制御実行手段と、
　を備えることを特徴とする情報処理装置。」
　
２．引用例
　引用例の記載については、上記「第２　」の「２．引用例・引用発明について」で述べたとおりである。
　
３．対比・判断
　本願発明は、前記「第２」の「１．本願補正発明」で検討した本願補正発明の「前記表示制御手段は、前記判別手段により所定の条件を満たすと判別されたことを契機とする、前記表示画面の表示内容の変更を行わない」という限定事項を省いたものである。
　そうすると、本願発明の構成要件をすべて含み、さらに他の構成要件を付加したものに相当する本願補正発明が、上記「第２」の「４．相違点についての判断」に記載したとおり、引用発明及び周知技術に基づいて、当業者が容易に発明をすることができたものであるから、本願発明も同様の理由により、引用発明及び周知技術に基づいて、当業者が容易に発明をすることができたものである。　
　
４．むすび
　以上のとおり、本願発明は、引用発明及び周知技術に基づいて、当業者が容易に発明をすることができたものであるから、本願は、特許法第２９条第２項の規定により特許を受けることができない。したがって、本願は拒絶すべきものである。
　よって、結論のとおり審決する。